【手続補正書】
【提出日】平成27年7月10日(2015.7.10)
【手続補正１】
【補正対象書類名】特許請求の範囲
【補正対象項目名】請求項１
【補正方法】変更
【補正の内容】
【請求項１】
遊技者に提供可能な各商品・サービスのうちから、遊技者が提供を希望する商品・サービスを受付ける商品・サービス受付け手段と、
各記録媒体を個々に識別可能な記録媒体識別情報が記録され、遊技者が遊技にて獲得した獲得価値を特定可能な記録媒体を受付けて、該記録媒体の記録媒体識別情報を少なくとも読み出す記録媒体処理手段と、
前記商品・サービス受付け手段にて受付けた商品・サービスの代価を特定可能な代価特定情報と、前記記録媒体処理手段にて読み出した記録媒体識別情報とを含む減算要求を送信する減算要求送信手段と、
を備える取引用端末と、
前記取引用端末とデータ通信可能に接続され、
前記記録媒体識別情報に対応付けて、各記録媒体を所持する遊技者が所有する獲得価値を管理する獲得価値管理手段と、
前記減算要求の受信に応じて、該減算要求に含まれる記録媒体識別情報に対応付けて前記獲得価値管理手段に管理されている獲得価値から、該減算要求に含まれる代価特定情報から特定される代価に相当する獲得価値を減算する獲得価値減算手段と、
を備える管理サーバと、
を含み、遊技者が遊技にて獲得した獲得価値を、各商品・サービスの代価の支払いに使用可能な取引用システムであって、
前記獲得価値減算手段にて減算した獲得価値を含む取引履歴を記憶する取引履歴記憶手段を備え、
前記取引用端末は、
所定の取り消し操作を受付ける取り消し受付け手段と、
前記取り消し受付け手段にて取り消し操作を受付けたことに基づいて、前記取引履歴記憶手段に記憶されている取引履歴を特定可能な取引履歴特定情報を含む返却要求を前記管理サーバに送信する返却要求送信手段と、
を備え、
前記管理サーバは、
前記返却要求の受信に応じて、該返却要求に含まれる前記取引履歴特定情報から特定される取引履歴に含まれる獲得価値を、当該取引において前記記録媒体処理手段にて受付けた記録媒体の記録媒体識別情報に対応付けて前記獲得価値管理手段に管理されている獲得価値に加算して返却する返却手段を備える、
ことを特徴とする取引用システム。
【手続補正２】
【補正対象書類名】特許請求の範囲
【補正対象項目名】請求項２
【補正方法】変更
【補正の内容】
【請求項２】
遊技者が遊技にて獲得した獲得価値を、各商品・サービスの代価の支払いに使用可能な取引用システムに用いられる取引用端末であって、
遊技者に提供可能な各商品・サービスのうちから、遊技者が提供を希望する商品・サービスを受付ける商品・サービス受付け手段と、
各記録媒体を個々に識別可能な記録媒体識別情報が記録され、遊技者が遊技にて獲得した獲得価値を特定可能な記録媒体を受付けて、該記録媒体の記録媒体識別情報を少なくとも読み出す記録媒体処理手段と、
該取引用端末とデータ通信可能に接続された管理サーバに対して、前記商品・サービス受付け手段にて受付けた商品・サービスの代価を特定可能な代価特定情報と、前記記録媒体処理手段にて読み出した記録媒体識別情報とを含む減算要求を送信することにより、前記管理サーバにおいて該記録媒体識別情報に対応付けて管理されている獲得価値から、該減算要求に含まれる代価特定情報から特定される代価に相当する獲得価値を減算させる減算要求送信手段と、
前記減算要求を送信することによって前記管理サーバに減算させた獲得価値を含む取引履歴を記憶する取引履歴記憶手段と、
所定の取り消し操作を受付ける取り消し受付け手段と、
前記取り消し受付け手段にて取り消し操作を受付けたことに基づいて、前記取引履歴記憶手段に記憶されている取引履歴を特定可能な取引履歴特定情報を含み、獲得価値に加算して返却するための返却要求を前記管理サーバに送信する返却要求送信手段と、
を備える、
ことを特徴とする取引用端末。
【手続補正３】
【補正対象書類名】明細書
【補正対象項目名】０００６
【補正方法】変更
【補正の内容】
【０００６】
前記課題を解決するために、請求項１に記載の本発明の取引用システムは、
遊技者に提供可能な各商品・サービス（例えば、飲食物）のうちから、遊技者が提供を希望する商品・サービスを受付ける商品・サービス受付け手段（ＭＰＵ５１が商品受付処理を実行する部分）と、
各記録媒体（例えば、会員カードＫとビジターカードＶ）を個々に識別可能な記録媒体識別情報（例えば、カードＩＤ）が記録され、遊技者が遊技にて獲得した獲得価値（例えば、持玉及び貯玉）を特定可能な記録媒体を受付けて、該記録媒体の記録媒体識別情報を少なくとも読み出す記録媒体処理手段（例えば、カードリーダライタ５７）と、
前記商品・サービス受付け手段にて受付けた商品・サービスの代価を特定可能な代価特定情報（例えば、持玉管理テーブル更新要求における端末取引テーブルデータ中の玉数や、貯玉管理テーブル更新要求における玉数）と、前記記録媒体処理手段にて読み出した記録媒体識別情報とを含む減算要求（例えば、持玉管理テーブル更新要求、貯玉管理テーブル更新要求）を送信する減算要求送信手段（例えば、ＭＰＵ５１がステップＳ１２６や、ステップＳ１３８を実行する部分）と、
を備える取引用端末（取引用端末５０）と、
前記取引用端末とデータ通信可能に接続され、
前記記録媒体識別情報に対応付けて、各記録媒体を所持する遊技者が所有する獲得価値を管理する獲得価値管理手段（会員用持玉管理テーブル、ビジター用持玉管理テーブル、貯玉管理テーブル）と、
前記減算要求の受信に応じて、該減算要求に含まれる記録媒体識別情報に対応付けて前記獲得価値管理手段に管理されている獲得価値から、該減算要求に含まれる代価特定情報から特定される代価に相当する獲得価値を減算する獲得価値減算手段（例えば、ステップＳｍ３１２においてビジター用持玉管理テーブルを減算更新する部分、ステップＳｍ３１３において会員用持玉管理テーブルを減算更新する部分、ステップＳｋ５１０において貯玉管理テーブルを減算更新する部分）と、
を備える管理サーバ（持玉管理サーバ１１０、会員管理サーバ１２０）と、
を含み、遊技者が遊技にて獲得した獲得価値を、各商品・サービスの代価の支払いに使用可能な取引用システムであって、
前記獲得価値減算手段にて減算した獲得価値を含む取引履歴（例えば、レシート番号、カードＩＤ、取引時間、商品ＩＤ、数量、玉レート、玉数、送信済フラグ）を記憶する取引履歴記憶手段（例えば、端末取引テーブル、履歴管理テーブル）を備え、
前記取引用端末は、
所定の取り消し操作（例えば、メインメニュー画面において、「メンテナンス」を選択し、且つ図示しないメンテナンスのメニュー画面において「払い戻し」を選択）を受付ける取り消し受付け手段（ＭＰＵ５１がステップＳ１５１〜ステップＳ１５４を実行する部分）と、
前記取り消し受付け手段にて取り消し操作を受付けたことに基づいて、前記取引履歴記憶手段に記憶されている取引履歴を特定可能な取引履歴特定情報（例えば、レシート番号）を含む返却要求（商品キャンセル要求）を前記管理サーバに送信する返却要求送信手段（例えば、ＭＰＵ５１がステップＳ１５５を実行し、持玉管理サーバ１１０に対して商品キャンセル要求を送信する部分）と、
を備え、
前記管理サーバは、
前記返却要求の受信に応じて、該返却要求に含まれる前記取引履歴特定情報から特定される取引履歴に含まれる獲得価値を、当該取引において前記記録媒体処理手段にて受付けた記録媒体の記録媒体識別情報に対応付けて前記獲得価値管理手段に管理されている獲得価値に加算して返却する返却手段（例えば、ＣＰＵ１１２がステップＳｍ３３３を実行して会員用持玉管理テーブルにキャンセル玉数を更新する部分、ＣＰＵ１１２がステップＳｍ３３４を実行してビジター用持玉管理テーブルにキャンセル玉数を更新する部分）を備える、
ことを特徴としている。
この特徴によれば、注文を取り消す場合には、取引履歴から特定される獲得価値が返却されるので、間違った獲得価値や不正に多い獲得価値が返却されてしまうことを防止できる。
【手続補正４】
【補正対象書類名】明細書
【補正対象項目名】０００７
【補正方法】変更
【補正の内容】
【０００７】
請求項２に記載の本発明の取引用端末は、
遊技者が遊技にて獲得した獲得価値（例えば、持玉及び貯玉）を、各商品・サービス（例えば、飲食物）の代価の支払いに使用可能な取引用システムに用いられる取引用端末（取引用端末５０）であって、
遊技者に提供可能な各商品・サービスのうちから、遊技者が提供を希望する商品・サービスを受付ける商品・サービス受付け手段（ＭＰＵ５１が商品受付処理を実行する部分）と、
各記録媒体（例えば、会員カードＫとビジターカードＶ）を個々に識別可能な記録媒体識別情報（例えば、カードＩＤ）が記録され、遊技者が遊技にて獲得した獲得価値を特定可能な記録媒体を受付けて、該記録媒体の記録媒体識別情報を少なくとも読み出す記録媒体処理手段（例えば、カードリーダライタ５７）と、
該取引用端末とデータ通信可能に接続された管理サーバ（持玉管理サーバ１１０、会員管理サーバ１２０）に対して、前記商品・サービス受付け手段にて受付けた商品・サービスの代価を特定可能な代価特定情報（例えば、持玉管理テーブル更新要求における端末取引テーブルデータ中の玉数や、貯玉管理テーブル更新要求における玉数）と、前記記録媒体処理手段にて読み出した記録媒体識別情報とを含む減算要求（例えば、持玉管理テーブル更新要求、貯玉管理テーブル更新要求）を送信することにより、前記管理サーバにおいて該記録媒体識別情報に対応付けて管理されている獲得価値から、該減算要求に含まれる代価特定情報から特定される代価に相当する獲得価値を減算させる減算要求送信手段（例えば、ＭＰＵ５１がステップＳ１２６や、ステップＳ１３８を実行する部分）と、
前記減算要求を送信することによって前記管理サーバに減算させた獲得価値を含む取引履歴（例えば、レシート番号、カードＩＤ、取引時間、商品ＩＤ、数量、玉レート、玉数、送信済フラグ）を記憶する取引履歴記憶手段（端末取引テーブル）と、
所定の取り消し操作（例えば、メインメニュー画面において、「メンテナンス」を選択し、且つ図示しないメンテナンスのメニュー画面において「払い戻し」を選択）を受付ける取り消し受付け手段（ＭＰＵ５１がステップＳ１５１〜ステップＳ１５４を実行する部分）と、
前記取り消し受付け手段にて取り消し操作を受付けたことに基づいて、前記取引履歴記憶手段に記憶されている取引履歴を特定可能な取引履歴特定情報を含み、獲得価値に加算して返却するための返却要求を前記管理サーバに送信する返却要求送信手段（例えば、ＭＰＵ５１がステップＳ１５５を実行し、持玉管理サーバ１１０に対して商品キャンセル要求を送信する部分）と、
を備える、
ことを特徴としている。
この特徴によれば、注文を取り消す場合には、取引履歴から特定される獲得価値が返却されるので、間違った獲得価値や不正に多い獲得価値が返却されてしまうことを防止できる。